(57)【特許請求の範囲】
【請求項１】
複数台の冷凍冷蔵ショーケースの各冷凍冷蔵ショーケース毎に除霜手段と通信の送受信手段とを備えたショーケースコントローラをそれぞれ設け、これら複数台のショーケースコントローラの除霜処理を統括制御する１台の除霜コントローラを各ショーケースコントローラに伝送線で接続し、複数台のショーケースコントローラ群毎に１台ずつを接続した除霜コントローラを複数台設け、これら複数台の除霜コントローラを１台のセンターコントローラに伝送線で接続し、さらにセンターコントローラからの時刻通報信号を受けて除霜コントローラから複数台のショーケースコントローラに、ショーケースに設置の冷却器の除霜を開始するための除霜開始信号を送信するとき、各ショーケースへの送信タイミングを一定時間ずつずらす冷凍冷蔵ショーケースの通信制御方法において、各ショーケースへの除霜開始信号の送信タイミングは、各除霜コントローラに別個に設定されている通信用アドレスを基にして送信遅延時間を設定時間ずつずらすことを特徴とする冷凍冷蔵ショーケースの通信制御方法。
【発明の詳細な説明】
【０００１】
【発明の属する技術分野】
本発明は、冷凍冷蔵ショーケースの通信制御方法に関するものである。
【０００２】
【従来の技術】
冷凍冷蔵ショーケースは周知のようにショーケースに設置の冷却器に圧縮機を接続し、該圧縮機から冷媒を送って冷却器でショーケースの庫内を冷却するものであるが、冷凍冷蔵ショーケースが複数台設置されるスーパーマーケットなどの店では、圧縮機をショーケースに組み込まず別置きとして、複数台の冷凍冷蔵ショーケースの冷却器を１台の圧縮機に接続し、この１台の圧縮機を複数の冷却器に共用させて各ショーケース毎に冷凍サイクルを構成し、さらにこのような圧縮機を複数台設置する場合がある。
【０００３】
一方、冷却能力が低下しないように一定時間毎に冷却器に付着した霜を除去する必要があるが、かかる場合、１台の圧縮機に対して複数台の冷却器が接続されているため、複数台の冷却器は同時に除霜運転する必要がある。
【０００４】
以上のような冷凍サイクルを備えた複数台の冷凍冷蔵ショーケースにおいて、各ショーケース毎に設置の冷却器を除霜するための制御手段として、例えば、図２に示すように各冷凍冷蔵ショーケース毎に除霜手段と通信の送受信手段とを備えたショーケースコントローラ４ａ，４ｂ，４ｃ，…４ｎをそれぞれ設け、これら複数台のショーケースコントローラ４ａ，４ｂ，４ｃ，…４ｎの除霜処理を統括制御する１台の除霜コントローラ３ａまたは３ｂを各ショーケースコントローラ４ａ，４ｂ，４ｃ，…４ｎに伝送線２で接続し、複数台のショーケースコントローラ４ａ，４ｂ，４ｃ，…４ｎのグループ毎に１台ずつを接続した除霜コントローラ３ａまたは３ｂを複数台設け、これら複数台の除霜コントローラ３ａ，３ｂを１台のセンターコントローラ１に伝送線２で接続する通信制御の手段がある。
【０００５】
かかる通信制御の手段により各冷凍冷蔵ショーケースに設置の冷却器の除霜を制御するには、除霜運転の開始時間になるとセンターコントローラ１から時刻通報の信号５が伝送線２を介して各除霜コントローラ３ａ，３ｂに同時に入力する。該除霜コントローラ３ａ，３ｂはこの信号の入力を受けて、複数のショーケースコントローラ４ａ，４ｂ，４ｃ，…４ｎに対して各除霜コントローラ３ａ，３ｂの特定信号であるアドレスを付して除霜開始信号６，７を伝送線２を介して同時に送信する。
【０００６】
各ショーケースコントローラ４ａ，４ｂ，４ｃ，…４ｎは当該ショーケースコントローラ４ａ，４ｂ，４ｃ，…４ｎが接続されている除霜コントローラ３ａ，３ｂから入力されてくる除霜開始信号６，７によって除霜開始する。
【０００７】
この場合、図３に示すように除霜コントローラ３ａ，３ｂから同時にアドレスの異なる複数の除霜開始信号６，７が同じ伝送線２で送信されるため、通信ライン上でこれら複数の除霜開始信号６，７が衝突することになる。
【０００８】
これに対処するため、従来は除霜コントローラ３ａ，３ｂから送信される信号のアドレスに予め優先順位を設定しておき、通信ライン上で衝突した相手のアドレスが付された信号を受信し、ここにに付されている相手のアドレスと自己のアドレスとを比較して、優先順位を判定し、判定の結果、自己のアドレスの信号が優先すれば除霜開始信号６，７を送信する。
【０００９】
これに対して、自己のアドレスの付されている信号の方が優先順位が低い場合は、相手の通信が終了するまで自己の送信を保留し、相手の通信の終了と同時に送信を開始する。通信ライン上で信号の衝突が発生した場合は、かかる処理を繰り返して順次送信する。
【００１０】
【発明が解決しようとする課題】
通信ライン上で信号の衝突の発生する毎に、信号の優先順位を判定し、１台の除霜コントローラのみが送信可能となるこのような通信制御の方法では、送信された信号毎にその都度順位判定作業がなされ、しかも、衝突は各除霜コントローラの状態によって左右されるから、確実に優先的に送信する除霜コントローラをコントローラの単位で確定できず、通信に不確定要素が入り、通信の信頼性に問題が生じる場合があり、また、通信効率がよくない。
【００１１】
特に、除霜開始信号の送信の場合は、センターコントローラからの時刻通報の信号により必ず同時に複数台の除霜コントローラから除霜信号が同じ伝送線で送信されることになり、信号が頻繁に衝突する時間帯が定期的に必ず発生する。このため、通信ラインが混雑し、頻繁に信号の衝突の発生する時間帯と、通信ライン上に全く信号のない時間帯とが発生し、通信ラインの通信効率がよくなかった。
【００１２】
本発明の目的は前記従来例の不都合を解消し、通信ライン上の信号の衝突を最小限に抑えることができ、通信上の不確定要素を減らして通信の信頼性を向上でき、また、通信上のビジー状態を減らして通信状態を平準化し通信効率を高めることのできる冷凍冷蔵ショーケースの通信制御方法を提供することにある。
【００１３】
【課題を解決するための手段】
本発明は、前記目的を達成するため、第１に、複数台の冷凍冷蔵ショーケースの各冷凍冷蔵ショーケース毎に除霜手段と通信の送受信手段とを備えたショーケースコントローラをそれぞれ設け、これら複数台のショーケースコントローラの除霜処理を統括制御する１台の除霜コントローラを各ショーケースコントローラに伝送線で接続し、複数台のショーケースコントローラ群毎に１台を接続した除霜コントローラを複数台設け、これら複数台の除霜コントローラを１台のセンターコントローラに伝送線で接続する冷凍冷蔵ショーケースの通信制御方法において、センターコントローラからの時刻通報信号を受けて除霜コントローラから複数台のショーケースコントローラに、ショーケースに設置の冷却器の除霜を開始するための除霜開始信号を送信するとき、各ショーケースコントローラへの送信タイミングを一定時間ずつずらすことにより、各除霜コントローラからの除霜開始信号が同じ伝送線上で衝突することがなく、通信ラインが混雑する時間帯の発生が防止され、通信効率が高まる。
【００１４】
第２に、各ショーケースへの除霜開始信号の送信タイミングは、各除霜コントローラに別個に設定されている通信用アドレスを基にして送信遅延時間を一義的に設定することにより、優先して送信できる除霜コントローラをコントローラの単位で決定でき、通信上の不確定要素を削減でき、通信の信頼性が向上する。
【００１５】
第３に、複数台のショーケースコントローラの除霜処理を統括制御する除霜コントローラは、複数台のショーケースにそれぞれ設置の冷却器が接続する１台の圧縮機に設けられるから、当該圧縮機に接続される全ての複数台の冷却器の除霜を同時に確実に開始できる。
【００１６】
【発明の実施の形態】
以下、図面について本発明の実施の形態を詳細に説明する。図１は本発明の冷凍冷蔵ショーケースの通信制御方法の実施の形態を示すタイムチャートで、本発明方法が実施される冷凍冷蔵ショーケースについてまず説明すると、それぞれ冷却器を設置した冷凍冷蔵ショーケースに対して、圧縮機をショーケースに組み込まず別置きとして１台設置し、前記複数の冷却器をこの１台の圧縮機に接続する。そして、このように複数台の冷却器を接続した圧縮機をさらに複数台設置する。
【００１７】
本発明はこのような冷凍サイクルを備える冷凍冷蔵ショーケースに実施されるもので、各ショーケースに設置の冷却器にはショーケースコントローラ４ａ，４ｂ，４ｃ，…４ｎをそれぞれ設け、圧縮機（２台設置の場合）には除霜コントローラ３ａ，３ｂをそれぞれ設ける。
【００１８】
通信制御のシステムは図２について既に説明したように、各冷凍冷蔵ショーケース毎に除霜手段と通信の送受信手段とを備えたショーケースコントローラ４ａ，４ｂ，４ｃ，…４ｎをそれぞれ設け、これら複数台のショーケースコントローラ４ａ，４ｂ，４ｃ，…４ｎの除霜処理を統括制御する１台の除霜コントローラ３ａまたは３ｂを各ショーケースコントローラ４ａ，４ｂ，４ｃ，…４ｎに伝送線２で接続し、複数台のショーケースコントローラ４ａ，４ｂ，４ｃ，…４ｎのグループ毎に１台ずつを接続した除霜コントローラ３ａまたは３ｂを複数台設け、これら複数台の除霜コントローラ３ａ，３ｂを１台のセンターコントローラ１に伝送線２で接続する。
【００１９】
かかる通信制御のシステムにおいて、除霜コントローラ３ａ，３ｂに別個に設定されている当該除霜コントローラ３ａ，３ｂを特定する通信用アドレスを基にして複数台のショーケースコントローラ４ａ，４ｂ，４ｃ，…４ｎへの除霜開始信号の送信時間を各除霜コントローラ３ａ，３ｂの間でずらす送信遅延時間ｔ１，ｔ２を計算し、この時間を各除霜コントローラ３ａ，３ｂに設定する。
【００２０】
以上のようにしてセンタコントローラ１には除霜開始時刻を一定時間毎に設定しておき、設定時間に達すると、センタコントローラ１から時刻通報の信号５が複数の除霜コントローラ３ａ，３ｂに同時に入力される。
【００２１】
除霜コントローラ３ａ，３ｂはこの時刻通報の信号５を受信して、それぞれの除霜コントローラ３ａ，３ｂに接続されている複数台のショーケースコントローラ４ａ，４ｂ，４ｃ，…４ｎに除霜開始信号６，７を送信する。このとき、各除霜コントローラ３ａ，３ｂには送信遅延時間ｔ１，ｔ２が設定されているから、センタコントローラ１からの時刻通報の信号５は同時に受信しても、複数台のショーケースコントローラ４ａ，４ｂ，４ｃ，…４ｎへの除霜開始信号６，７の送信は図１に示すように送信遅延時間ｔ１，ｔ２ずつずれることになる。
【００２２】
これにより１台の除霜コントローラ３ａからの除霜開始信号６の送信が終了してから、次の２台目の除霜コントローラ３ｂからの除霜開始信号７の送信が開始する。よって、送信タイミングが一義的に一定時間ずれ、各除霜コントローラ３ａ，３ｂからの除霜開始信号６，７を同じ伝送線２の通信ライン上にのせても両信号が衝突することはない。なお、図において時間ｔ３は除霜コントローラ３ａ，３ｂでの内部処理時間である。
【００２３】
その結果、除霜処理の同期を図ることができ、１台の圧縮機に接続されている複数台の冷却器は、圧縮機毎の単位で同時に除霜が開始する。
【００２４】
【発明の効果】
以上述べたように本発明の冷凍冷蔵ショーケースの通信制御方法は、第１に、複数台の冷凍冷蔵ショーケースの各冷凍冷蔵ショーケース毎に除霜手段と通信の送受信手段とを備えたショーケースコントローラをそれぞれ設け、これら複数台のショーケースコントローラの除霜処理を統括制御する１台の除霜コントローラを各ショーケースコントローラに伝送線で接続し、複数台のショーケースコントローラ群毎に１台を接続した除霜コントローラを複数台設け、これら複数台の除霜コントローラを１台のセンターコントローラに伝送線で接続する冷凍冷蔵ショーケースの通信制御方法において、センターコントローラからの時刻通報信号を受けて除霜コントローラから複数台のショーケースコントローラに、該ショーケースに設置の冷却器の除霜を開始するための除霜開始信号を送信するとき、各ショーケースコントローラへの送信タイミングを一定時間ずつずらすことにより、各除霜コントローラからの除霜開始信号が同じ伝送線上で衝突することがなく、通信ラインが混雑する時間帯の発生が防止されるとともに通信されない不使用の時間帯も少なくなり、通信状態を平準化できて、通信効率が高まる。
【００２５】
第２に、各ショーケースへの除霜開始信号の送信タイミングは、各除霜コントローラに別個に設定されている通信用アドレスを基にして送信遅延時間を一義的に設定することにより、優先して送信できる除霜コントローラをコントローラの単位で決定でき、通信上の不確定要素を削減でき、通信の信頼性が向上する。
【００２６】
第３に、複数台のショーケースコントローラの除霜処理を統括制御する除霜コントローラは、複数台のショーケースにそれぞれ設置の冷却器が接続する１台の圧縮機に設けられるから、複数台のショーケースコントローラの除霜処理の同期を図ることができ、当該圧縮機に接続される全ての複数台の冷却器の除霜を同時に確実に開始できる。
【図面の簡単な説明】
【図１】  本発明の冷凍冷蔵ショーケースの通信制御方法の実施の形態を示すタイムチャートである。
【図２】  本発明の冷凍冷蔵ショーケースの通信制御方法の実施の形態を示す制御ブロック図である。
【図３】  従来の冷凍冷蔵ショーケースの通信制御方法を示すタイムチャートである。
【符号の説明】
１…センターコントローラ
２…伝送線
３ａ，３ｂ…除霜コントローラ
４ａ，４ｂ，４ｃ，…４ｎ…ショーケースコントローラ
５…時刻通報の信号
６，７…除霜開始信号
【図１】
0003662707.tif 000002
【図２】
0003662707.tif 000003
【図３】
0003662707.tif 000004